【事件の表示】
　特許第３１０５９４３号「インクジェット記録用ラベル」の請求項１、２に係る特許に対する特許異議の申立てについて、次のとおり決定する。
【結　論】
　訂正を認める。
　特許第３１０５９４３号の請求項１、２に係る特許を維持する。
【理　由】
１．手続きの経緯
　特許第３１０５９４３号の請求項１及び２に係る発明は、平成３年５月１７日に出願され、平成１２年９月１日にその特許の設定の登録がなされ、その後、王子製紙株式会社より特許異議申立がなされ、取消理由通知がなされその指定期間内である平成１３年１１月１３日に訂正請求がなされたものである。　
２．訂正の適否について　
　2.1　訂正の内容　
Ａ．特許請求の範囲の【請求項１】の「ステキヒトサイズ度が１０秒以上である」と「ことを特徴とするインクジェット記録用ラベル」の間に「と共に、前記カチオン性高分子電解質が、ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の電解質である」を挿入する。　
Ｂ．特許請求の範囲の【請求項２】の「基紙の少なくとも記録面に、」と「カチオン性高分子電解質」の間に「ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の」を挿入する。　
Ｃ．特許明細書の段落【０００８】の「ステキヒトサイズ度が１０秒以上である」と「ことを特徴とするインクジェット記録用ラベル。」の間に「と共に、前記カチオン性高分子電解質が、ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の電解質である」を挿入する。　
Ｄ．特許明細書の段落【００１１】の「このようなカチオン性高分子電解質として、例えばポリビニルベンジルトリメチルアンモニウムハライド、ポリジメチルアミノエチルメタクリレート塩酸塩、ポリジアクリルジメチルアンモニウムハライド、ポリビニルピリジウムハライドなどの第４級アンモニウム塩類の重合物及び共重合物がある。」を「このようなカチオン性高分子電解質として、本発明においてはポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物を使用する。」と訂正する。　
Ｅ．特許明細書の段落【００１７】中の「カナダ標準ろ水度が３５０ml以上」を「カナダ標準ろ水度が３８０ml以上」と訂正する。　
　
　2.2訂正の目的の適否、新規事項の有無及び特許請求の範囲の拡張・変更の存否
　上記訂正事項Ａは、特許明細書の段落【００１１】及び実施例の記載を根拠とし、カチオン性高分子電解質をさらに特定するものであるから、特許請求の範囲の減縮を目的とするものであって、また、願書に添付した明細書に記載の範囲内のものであり、かつ、実質上特許請求の範囲を拡張又は変更するものではない。　
　上記訂正事項Ｂ．Ｃ．Ｄ．及びＥ．は、特許請求の範囲の記載にあわせて明細書の該当箇所を訂正するものであり、明りょうでない記載の釈明に該当し、願書に添付した明細書に記載した事項の範囲内のものであり、実質上特許請求の範囲を拡張し又は変更するものではない。　
　2.3　むすび　
　以上のとおりであるから、上記訂正は特許法等の一部を改正する法律（平成６年法律第１１６号。以下、「平成６年改正法という。」）附則第６条第１項の規定によりなお従前の例によるとされる、特許法第１２０条の４第３項において準用する平成６年改正法による改正前の特許法第１２６条第１項ただし書き、第２項及び第３項の規定に適合するので、当該訂正を認める。　
３．訂正後の発明　
　訂正後の請求項１及びに係る発明は、その特許請求の範囲の請求項１及び２に記載された次のとおりのものである。　
　「【請求項１】　カナダ標準形ろ水度が３８０ｍｌ以上のパルプ及び填料を用いて抄造されると共に、少なくともその記録面に０．１〜２．０ｇ／ｍ２のカチオン性高分子電解質を有する基紙並びに該基紙の裏面に順次設けられた粘着剤層及び剥離紙からなるラベルであって、該記録面のステキヒトサイズ度が１０秒以上であると共に、前記カチオン性高分子電解質が、ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の電解質であることを特徴とするインクジェット記録用ラベル。　
　　【請求項２】　カナダ標準形ろ水度３８０ｍｌ以上の木材パルプおよび填料からなる基紙の少なくとも記録面にポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種のカチオン性高分子電解質を０．１〜２．０ｇ／ｍ２付与すると共に、該記録面のステキヒトサイズ度を１０秒以上とした後、他方の面に、転写塗工法により粘着剤層及び剥離紙層を順次設けることを特徴とするインクジェット記録用ラベルの製造方法。」　
４特許異議申立の概要　
　特許異議申立人　王子製紙株式会社は本件特許請求の範囲の請求項１及び２に係る発明は、　
　甲第１号証（特開平３−３３２９８号公報）　
　甲第２号証（特開昭６０−１８９４８２号公報）　
　甲第３号証（特願昭５４−１６２１８１号の特許法第１７条の２の規定による補正の掲載公報（昭和５８年７月２５日発行））　
　甲第４号証（実願昭５５−１５８０８３号（実開昭５７−８１１７７号公報）のマイクロフィルム）に記載された発明に基づき当業者が容易に発明をすることができたものであるから特許法第２９条第２項の規定により特許を受けることができないと主張する。　
　
５．甲号各証の記載　
　甲第１号証には、　
　(1a)「パルプ及び填料としてＢＥＴ比表面積が６ｍ２／ｇ以上、粒径が０．１〜４０μｍ及び平均粒径が１〜２５μｍの軽質炭酸カルシウムをパルプに対して１０〜１６重量％の割合で含有し、且つサイズ剤を内添したシートに更に外添サイジングを施こした、次の特性値を有することを特徴とするノンコートタイプインクジェット記録用紙。　
　(a)ステキヒトサイズ度が１０秒以上、　
　・・・・・・・・・・・・・・・・・・・・・・・・・・・・・・・・　
　(h)ドット光学濃度が０．７８以上。」（特許請求の範囲）　
　(1b)「本願発明は、インク吸収速度および耐水性に優れ、さらに従来の発明で十分果たし得なかったドットのにじみ率が小さく、ドット径が小さいが、光学濃度が高く且つ真円度も高い、高速高精細のプリンターに適合するノンコートタイプインクジェット記録用紙およびその製造方法を提供することを目的とする。」（第４頁右下欄第２〜８行）　
　(1c)「繊維状物質のろ水度（ＣＳＦ）が低いと、紙層中の細孔容積が減少して緻密な構造となり、外細孔径分布も小さい方へとシフトする。・・・・・・・・・・・・・・・・・・・・・・・・・・・・・・・・ドットの形状とインクの吸収性の両者のバランスからろ水度（ＣＳＦ）は６００〜２００mlとすべきであり、望ましくは４５０〜２５０mlである。」（第６頁左下欄第２〜２０行）　
(1d)「外添サイズ剤とは、スチレン−アクリル酸コポリマー、・・・・・・・石油樹脂及びポリアクリルアミドをいい、・・・・・・・・・ＣＭＣのいずれか１種又はこれらの混合物を加えることができる。また、記録された文字、画像の耐水性、耐光性を高めるためにカチオン性のエポキシ樹脂、ポリアリルアミン、ポリアミンスルフォン、・・・・・・ポリアミン、アルキルアミン、ポリアリルアミン塩酸塩、アルカリ金属の塩化物などをシート１ｍ２当たり１ｇ以下付着するように併用する。　なお、外添サイズ剤にカチオン性のものを使用することにより、インクの耐水性を付与することも可能である。」（第７頁右上欄第１８行〜左下欄第１６行）　
　(1e)「以上のようにしてサイジングの施こされた用紙のステキヒトサイズ度は１０秒以上、特に１０〜５０秒となり、受理したインクのにじみを押え、ドット径を小さくすることができ、また、サイズ剤が均一に分布されているので、ドットの形状、寸法も安定する。」（第７頁右下欄第５〜１０行）と記載され、　
　(1f)実施例１〜６には、市販製紙用広葉樹晒クラフトパルプをろ水度（ＣＳＦ）２７０mlまで叩解後、内添サイズ剤として「アルキルケテンダイマー系サイズ剤」を添加して抄造し、次に、外添サイズ剤として「スチレン−アクリル酸コポリマー」で処理して得られたノンコートタイプインクジェット記録用紙が記載されている。（第８頁左上欄〜左下欄参照）　
　
　甲第２号証には　
　(2a)「下記の条件を備えていることを特徴とするインクジェット記録用紙；　
　（イ）JIS P-8140によるＬＢＫＰを主体としたパルプの叩解度が２００mlC.S.F.以上であり、サイズ剤が前記パルプ１００重量部に対して0.2〜0.6重量部、カチオン系紙力増強剤が２〜１０重量部それぞれ添加され、抄紙pHが5.5〜9.5である原紙、　
　（ロ）前記原紙に１種以上の水溶性高分子が水に0.5〜５重量％の割合で溶解している塗工液によって塗工されている、　
　（ハ）JIS P-8140による記録用紙の吸水度（コップ法：測定時間６０秒）が６００〜１５００ｇ／ｍ２である。」（特許請求の範囲）　
　(2b)「カチオン紙力増強剤の添加は、インキ中の着色成分であるアニオン系染料と結着するので、印字濃度を高める効果を示す。」（第２頁左下欄第７〜９行）と記載され、　
　(2c)実施例１〜３には、　
　ＬＢＫＰ１００重量部に、内添サイズ剤（ハーコン４０Ｃ〔ディックハーキュレス社製〕）、カチオン系紙力増強剤（ハーマイドQN-750E〔播磨化成工業社製〕）を添加して長網抄紙機で坪量７０ｇ／ｍ２の用紙を得たとし、第６頁第１表には、抄造条件として、ＬＢＫＰフリーネス４００ccのパルプを用いた例が示されている。　
　
　甲第３号証には　
　(3a)「ポリカチオン高分子電解質を少なくともその表面に含有する記録媒体に、水溶性直接染料および水溶性酸性染料の中の少なくとも１種の水溶性染料を含有する水性インクを印写することを特徴とするインクジェット記録方法。」（特許請求の範囲）　
　(3b)「本発明に用いられる記録媒体の少なくとも表面には、ポリカチオン高分子電解質が含有されているものであるが、かかるポリカチオン高分子電解質としては、ポリビニル・ピリジニウム・ハライド、ポリエチレンイミン、・・・・・などが挙げられる。」（第１頁右下欄第１８行〜第２頁左上欄下から１４行）と記載され、　
　(3c)実施例１及び２には、市販紙に、ポリビニル・ピリジニウム・ブロマイド又はポリエチレンイミン水溶液を塗布した後乾燥したものを用いたインクジェット記録媒体が記載されている。　
　
　甲第４号証には、インクジェット記録に適したインクジェット記録紙１、無溶媒型感圧接着剤層２、及び剥離紙３、より成るインクジェットタック紙が記載されている。（実用新案登録請求の範囲）　
　
６．申立理由についての当審の判断　
　6.1　請求項１に係る発明（以下、「本件発明１」という。）について　
　甲第１号証の(1a)ないし(1f)の記載を総合すると、同号証には「カナダ標準形ろ水度が２００〜６００mlのパルプ及び填料を用いて抄造されると共に、その記録面に１ｇ／ｍ２のカチオン性高分子電解質を有し、記録面のステキヒトサイズ度が１０秒以上である基紙を有するインクジェット記録用紙」が記載されていることとなる。　
　そこで、本件発明１と甲第１号証に記載の発明とを対比すると、両者は「カナダ標準形ろ水度が３８０〜６００ｍｌ以上のパルプ及び填料を用いて抄造されると共に、その記録面に１ｇ／ｍ２のカチオン性高分子電解質を有する基紙からなるインクジェット記録用紙であって、該記録面のステキヒトサイズ度が１０秒以上である」点で一致し、次の点で相違する。　
　(1)本件発明１が、基紙の裏面に順次設けられた粘着剤層及び剥離紙を有するラベルであるのに対し、甲第１号証にはこの点については記載がない。　
　(2)本件発明１ではカチオン性高分子電解質が、ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の電解質であるのに対し、甲第１号証には、カチオン性高分子電解質については(1d)に化合物が例示されているが、本件発明１の化合物についての記載はない。　
　上記相違点について検討する。　
　相違点(1)について　
　甲第２及び３号証は、インクジェット記録用紙に関するものではあるが、粘着剤層及び剥離紙を設けたラベルとすることについては記載又は示唆するものはない。　
　甲第４号証には、インクジェット記録紙に接着剤層及び剥離紙を設けタック紙とすることが記載されている。　
　しかしながら、甲第４号証には、インクジェット記録紙をタック紙として用いるに当たり該記録紙が有すべき特性については何等記載されていないのであるから、甲第１号証に記載の特性を有するインクジェット記録用紙がタック紙として使用でき、さらに本件特許明細書段落【０００７】に記載の目的を達成することができることを示唆すものはない。　
　したがって、甲第２ないし４号証には、甲第１号証に記載のインクジェット記録用紙をラベルとして用いることを記載又は示唆するものではない。　
　相違点(2)について　
　甲第２号証には、「カチオン系紙力増強剤」を添加し抄造して製造したインクジェット記録用紙が記載されている。　
　しかしながら、甲第２号証には、カチオン系紙力増強剤として如何なる化合物を使用するかについての記載はなく、該増強剤として「ハーマイドQN-750E〔播磨化成工業社製〕」が実施例において使用されてはいるがその化学組成については記載するところはない。　また、該増強剤が、本件発明１の「ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物」に該当しないことは当審においてすでに確認されている。
　甲第３号証には「ポリカチオン系高分子電解質」を表面に有するインクジェット記録用紙が記載されているが、例示された又は実施例で使用された該高分子電解質は本件発明１の「ポリカチオン系高分子電解質」とはその化学構造式が相違し、また、本件発明１の「ポリカチオン系高分子電解質」を示唆する記載も見あたらない。　
　甲第４号証にはカチオン性高分子電解質についての記載はない。　
　したがって、本件発明１において特定したカチオン性高分子電解質は、甲第２ないし４号証には記載又は示唆されてはいない。また、該高分子電解質がインクジェット記録用紙において通常用いられている化合物であるとも認められないので、甲第２ないし４号証には本件発明１の上記相違点(2)に係る構成要件を記載又は示唆するものではない。　
　そして、本件発明１は、上記相違点(1)及び(2)に係る本件発明の構成要件を採用することにより本件明細書段落【０００７】に記載の目的が達成できるものであるから、本件発明１が甲第１ないし４号証に記載の発明に基づいて当業者が容易に発明をすることができたものとすることはできない。　
　6.2　請求項２に係る発明（以下、「本件発明２」という。）について　
　本件発明２は「インクジェット記録用ラベルの製造方法」に関し、本件発明１の上記相違点(1)及び(2)に係る構成要件を包含するものであるから、本件発明１で述べたと同様の理由で、甲第１ないし４号証に記載の発明に基づいて当業者が容易に発明をすることができたものとすることはできない。　
　
７．まとめ
　以上のとおりであるから、特許異議の申立の理由及び証拠によっては、本件請求項１及び２に係る発明についての特許を取り消すことはできない。　
　また、他に本件請求項１及び２に係る発明についての特許を取り消すべき理由を発見しない。　
　したがって、本件請求項１及び２に係る発明についての特許は拒絶の査定をしなければならない特許出願に対してされたものとは認めない。　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により上記の通り決定する。　
【異議決定日】
平成１４年１月１７日（２００２．１．１７）
【訂正の要旨】
訂正の要旨
　特許第３１０５９４３号の明細書を次のとおり訂正する。
　Ａ．特許請求の範囲の【請求項１】の「ステキヒトサイズ度が１０秒以上である」と「ことを特徴とするインクジェット記録用ラベル」の間に、特許請求の範囲の減縮を目的として、「と共に、前記カチオン性高分子電解質が、ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の電解質である」を挿入する。
Ｂ．特許請求の範囲の【請求項２】の「基紙の少なくとも記録面に、」と「カチオン性高分子電解質」の間に、特許請求の範囲の減縮を目的として、「ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の」を挿入する。
Ｃ．特許明細書の段落【０００８】の「ステキヒトサイズ度が１０秒以上である」と「ことを特徴とするインクジェット記録用ラベル。」の間に、特許請求の範囲の減縮に伴う不明瞭な記載の釈明を目的として、「と共に、前記カチオン性高分子電解質が、ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の電解質である」を挿入する。
Ｄ．特許明細書の段落【００１１】の「このようなカチオン性高分子電解質として、例えばポリビニルベンジルトリメチルアンモニウムハライド、ポリジメチルアミノエチルメタクリレート塩酸塩、ポリジアクリルジメチルアンモニウムハライド、ポリビニルピリジウムハライドなどの第４級アンモニウム塩類の重合物及び共重合物がある。」を、特許請求の範囲の減縮に伴う不明瞭な記載の釈明を目的として、「このようなカチオン性高分子電解質として、本発明においてはポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物を使用する。」と訂正する。
Ｅ．特許明細書の段落【００１７】中の「カナダ標準ろ水度が３５０ｍｌ以上」を、不明瞭な記載の釈明を目的として「カナダ標準ろ水度が３８０ｍｌ以上」と訂正する。
（５４）【発明の名称】
インクジェット記録用ラベル
（５７）【特許請求の範囲】
　【請求項１】　カナダ標準形ろ水度が３８０ｍｌ以上のパルプ及び填料を用いて抄造されると共に、少なくともその記録面に０．１〜２．０ｇ／ｍ２のカチオン性高分子電解質を有する基紙並びに該基紙の裏面に順次設けられた粘着剤層及び剥離紙からなるラベルであって、該記録面のステキヒトサイズ度が１０秒以上である
と共に、前記カチオン性高分子電解質がポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の電解質である
　【請求項２】　カナダ標準形ろ水度３８０ｍｌ以上の木材パルプおよび填料からなる基紙の少なくとも記録面に、
ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の
【発明の詳細な説明】
　【０００１】
　【産業上の利用分野】
　本発明はインクジェット記録用ラベルに関し、特にインク乾燥性と記録画像の耐水性に優れた、非塗工タイプのインクジェット記録用ラベルに関する。
　【従来の技術】
　【０００２】
　インクジェット記録方式は、種々の機構によりインクの小滴を吐出し、該小滴を記録用紙上に付着させることによりドットを形成し記録を行うものである。この方式は、ドットインパクトタイプの記録方式に比べて騒音がなく、又フルカラー化が容易であると共に高速印字が可能である等の利点がある反面、使用されるインクが直接染料や酸性染料などを用いた水性インクであるため、インクの乾燥性が悪いという欠点がある。
　【０００３】
　このインクジェット記録方式に用いられるインクジェット記録用紙に要求される特性としては、
　▲１▼インク乾燥性が良い
　▲２▼印字濃度が高い
　▲３▼ドットの広がりやひげ状のにじみが少ない
などが挙げられる。
　【０００４】
　▲１▼の特性を改善するために、従来、比表面積の大きなシリカなどを内添して紙のインク吸収量を大きくすることが行われていたが、この場合にはインクが紙中に広く吸収されるため、ドットの広がりや印字濃度の低下を生じるという欠点があった。
　【０００５】
　特に、最近のニーズの多様化に伴い、インクジェット記録した紙を種々の物品に貼付したり、郵便に宛名用に使用するラベル用途が増大している。しかしながら、インクジェット記録に使用されるインクは、従来通り、直接染料や酸性染料等を用いた水性インクであるため記録画像の耐水性が悪く、上記の用途における取扱い時に、水や手汗により記録画像がにじんだり流れたりするという欠点があった。
　【０００６】
　係る欠点は、例えば特開昭５６−５８８６９号に記載されている如く、記録面に特殊な層をコーティングすることによって解決されるが、記録紙のコストが高くなるために、上記の如き特殊な層を設けない非塗工タイプのインクジェット用記録紙を改良することが望まれていた。
　【０００７】
　【発明が解決しようとする課題】
　本発明者等は上記の欠点を解決するためにインクジェット記録用ラベルについて種々検討した結果、カナダ標準形ろ水度が３８０ｍｌ以上の木材パルプを用いた基紙の少なくとも記録面に一定量のカチオン性高分子電解質を付与すると共に、該記録面のステキヒトサイズ度を調整することにより、非塗工タイプのインクジェット記録用ラベルの画像耐水性を改善することができることを見い出し、本発明に到達した。
　従って本発明の目的は、インク乾燥性が良好であると共に記録画像の耐水性に優れた、非塗工タイプのインクジェット記録用ラベルを提供することにある。
　【０００８】
　【課題を解決するための手段】
　本発明の上記の目的は、カナダ標準形ろ水度３８０ｍｌ以上の木材パルプ及び填料を用いて抄造されると共に、少なくともその記録面に、０．１〜２．０ｇ／ｍ２の高分子電解質を有する基紙、並びに該基紙の裏面に順次設けられた粘着剤層及び剥離紙からなるラベルであって、該記録面のサイズ度が１０秒以上である
と共に、前記カチオン性高分子電解質が、ポリビニルベンジルトリメチルアンモニウムハライド、ポリジメチルアミノエチルメタクリレート塩酸塩、ポリジアクリルジメチルアンモニウムハライドの第４級アンモニウム塩類の重合物及び共重合物から選択された少なくとも１種の電解質である
　【０００９】
　本発明で用いる紙は、カナダ標準形ろ水度が３８０ｍｌ以上の木材パルプ及び填料からなるパルプスラリーから、公知の方法によって容易に抄造される。好ましいカナダ標準形ろ水度の範囲は３８０〜４５０ｍｌである。カナダ標準形ろ水度が３８０ｍｌ以下の木材パルプでは、インク乾燥性が低下する。又、４５０ｍｌ以上では紙力が低下するので実用上問題である。
　【００１０】
　抄紙条件としては、酸性抄き、中性抄きの何れをも採用することができる。本発明で使用する填料は、通常紙に用いるものであれば特に限定されるものではなく、炭酸カルシウム、シリカ、クレー、タルク、チタン、カオリン、プラスチックピグメントなどを適宜使用することができる。配合量は、紙中、５〜３０重量％好ましくは６〜１５重量％である。又、坪量としては５０〜１００ｇ／ｍ２が好ましい。
　又、必要に応じて内添サイズ剤、歩留り向上剤、導電剤及び各種染料等を添加することができる。
　【００１１】
　本発明において用いるカチオン性高分子電解質は、インクジェット記録に使用するインクを紙表面に強く固定し、画像の耐水性を改善する作用をするものである。このようなカチオン性高分子電解質として
、本発明においては
を使用す
　【００１２】
　これらカチオン性高分子電解質は、基紙全体に含有されていても、表面に付与されていても良い。使用される量は、基紙全体に含有される場合には０．２〜２．０ｇ／ｍ２、好ましくは０．４〜１．５ｇ／ｍ２であり、表面に付与される場合には０．１〜２．０ｇ／ｍ２、好ましくは０．２〜１．５ｇ／ｍ２であるが、適用されるインクの種類及び量、更には基紙の坪量に応じて適宜調整して使用することができる。
　【００１３】
　又、印字時のドットの広がりやヒゲ状のにじみを防止する観点から、本発明においては、記録表面のステキヒトサイズ度は１０秒以上であることが必要である。１０秒未満ではインクのにじみが著しくなる。
　【００１４】
　上記ステキヒトサイズ度は、塗工液中に、通常表面サイズに使用する高分子、例えば、でんぷん、ポリビニルアルコール、カルボキシメチルセルロースその他の表面サイズ剤や顔料、分散剤、等を必要に応じて併用することにより、或いはこれらを更に独立に付与することにより適宜調整することができる。又、更に、消泡剤、染料、流動変性剤等も添加することができる。
　【００１５】
　塗工方法としては、サイズプレスコート、エアーナイフコート、ロールコート、バーコート、グラビアコートなどの公知の塗工方法を適宜採用することができる。
　本発明のインクジェット記録用ラベルは上記の如くして調整した基紙の裏面に、順次粘着剤層及び剥離紙を設けたものである。
　粘着剤層に使用する粘着剤としては、溶剤系及び水系の何れのものも使用することができる。
　【００１６】
　粘着剤層及び剥離紙を設ける方法としては、例えば、シリコン樹脂などで剥離処理した紙又はフィルムの剥離シートの上に粘着剤を塗工し乾燥した後、それを基紙などに貼合する、いわゆる転写塗工法を採用することができる。
　本発明のインクジェット記録用ラベルは、記録面にインクジェット記録をした後剥離紙を取除き、被着体に貼付して使用する。
　【００１７】
　【発明の効果】
　以上詳述した如く、本発明のインクジェット記録用ラベルは、カナダ標準形ろ水度が
３８０
　【００１８】
　【実施例】
　以下、実施例を挙げて本発明を更に詳しく説明するが、本発明はこれによって限定されるものではない。
　【００１９】
実施例１．
　ＬＢＫＰ（ｃ．ｓ．ｆ．３８０ｍｌ）９４重量部、タルク６重量部、ロジン系内添サイズ剤０．５重量部及びカチオン化でんぷん０．５重量部を配合したパルプスラリーから坪量６４．０ｇ／ｍ２の上質紙を抄紙した。次に、酸化でんぷん５％及びポリビニルベンジルトリメチルアンモニウムハライド０．４％を含有する塗工液をサイズプレスコートした。この時のカチオン性高分子電解質の含有量は、０．２ｇ／ｍ２であった。またステキヒトサイズ度は１５秒であった。
　【００２０】
　次に、アクリルエマルジョン型粘着剤タフタック６０１（山陽国策パルプ）２０ｇ／ｍ２を有する剥離紙ＥＫ１２０Ｄ２（リンテック）を用い、上記上質紙の非サイズ面に、転写塗工法により粘着剤層及び剥離紙を順次設け、インクジェット記録用ラベルとした。
　得られたラベルにインクジェットプリンター（商品名：ＩＪＫ−１１２ＩＩＣｕｓｔｏｍ，チノン製）で記録した結果を（表１）に示した。
　【００２１】
実施例２．
　実施例１で抄紙した上質紙に、酸化でんぷん５％及びアクリル系の表面サイズ剤０．１％から成る塗工液をサイズプレスコートした後、その片面に更にポリビニルベンジルトリメチルアンモニウムハライドの５．０％水溶液を、塗工量が２．０ｇ／ｍ２となるようにバーコートした。この時のステキヒトサイズ度は、２２秒であった。更に、実施例１と同様にして、転写塗工法により裏面に粘着剤層及び剥離紙層を設け、実施例１と同様に評価した結果は（表１）に示した通りである。
　【００２２】
実施例３．
　実施例２で調製したサイズプレスコートした紙の片面にジメチルアミノエチルメタクリレート塩酸塩とメチルメタクリレートとの共重合物の０．４％水溶液を、塗工量が０．１ｇ／ｍ２となるようにバーコートした。このときのステキヒトサイズ度は２０秒であった。更に、実施例１と同様にして、転写塗工法により裏面に粘着剤層及び剥離紙層を設け、実施例１と同様に評価した。
　【００２３】
実施例４．
　ＬＢＫＰ（ｃ．ｓ．ｆ．４２０ｍｌ）９０重量部、軽質炭酸カルシウム１０重量部、アルキルケテンダイマー系内添サイズ剤０．０４重量部及びカチオン化でんぷん０．５重量部を配合して坪量６４．０ｇ／ｍ２の上質紙を抄紙し、酸化でんぷん４％及びポリビニルベンジルトリメチルアンモニウムハライド０．６％に調整した塗工液をサイズプレスコートした。
　【００２４】
　この時のカチオン性高分子電解質の塗工量は、０．４ｇ／ｍ２であった。またステキヒトサイズ度は１３秒であった。次に、実施例１と同様にして、転写塗工法により裏面に粘着剤層及び剥離紙層を設け、実施例１と同様に評価した。結果は（表１）に示した通りである。
　【００２５】
比較例１．
　ＬＢＫＰ（ｃ．ｓ．ｆ．３２０ｍｌ）９４重量部、タルク６重量部、内添サイズ剤（ロジン系）０．５重量部及びカチオン化でんぷん０．５重量部を配合して坪量６４．０ｇ／ｍ２の上質紙を抄紙した。次に、ポリビニルベンジルトリメチルアンモニウムハライド０．４％に調整した塗工液をカチオン性高分子電解質の塗工量が０．２ｇ／ｍ２となるようにサイズプレスコートした。ステキヒトサイズ度は１６秒であった。次に、実施例１と同様にして、転写塗工法により裏面に粘着剤層及び剥離紙層を設け、実施例１と同様に評価した。結果は（表１）に示した。
　【００２６】
比較例２．
　実施例１で抄紙した上質紙に、酸化でんぷん５％及びアクリル系の表面サイズ剤０．１％から成る塗工液をサイズプレスコートした。このときのステキヒトサイズ度は１４秒であった。更に、実施例１と同様にして、転写塗工法により裏面に粘着剤層及び剥離紙層を設け、実施例１と同様に評価した。結果は（表１）に示した。
　【００２７】
比較例３．
　実施例４で抄紙した上質紙に、酸化でんぷん３％及びアクリル系の表面サイズ剤０．０５％から成る塗工液をサイズプレスコートした後、ポリビニルベンジルトリメチルアンモニウムハライドの２．０％水溶液を塗工量が１．０ｇ／ｍ２となるようにバーコートした。このときのステキヒトサイズ度は、６秒であった。次に、実施例１と同様にして、転写塗工法により裏面に粘着剤層及び剥離紙層を設け、実施例１と同様に評価した。結果は（表１）に示した。
　【表１】
　尚、表中の注１〜注４は、夫々下記の通りである。
　　注１；ＶＴＡＸ：ポリビニルベンジルトリメチルアンモニウムハライド
　　　　　ＤＡＭＡ：ジメチルアミノエチルメタクリレート塩酸塩メチルメタクリレート共重合物
　　注２；　　　○：ドット形状良好
　　　　　　　　×：ドット広がり大
　　注３；　　　○：乾燥性良好　　（乾燥時間５秒未満）
　　　　　　　　△：あまり良くない（乾燥時間５秒以上３０秒未満）
　　　　　　　　×：乾燥性不良　　（乾燥時間３０秒以上）
　　注４；　　　○：水に浸漬した後でもインクは殆ど流れない
　　　　　　　　×：水に浸漬した後のインクの流れ出しが多い